(57)【要約】【課題】経糸及び／又は緯糸の少なくとも一方の糸としてＳ撚糸及びＺ撚糸を群状に織り込むことによって模様を観察することができる織物を提供する。【解決手段】織物１１を形成する経糸１２を全てＺ撚糸１５にすると共に、緯糸１３を複数のＳ撚糸１４からなるＳ撚糸群１４Ｓと、同じく複数本のＺ撚糸１５からなるＺ撚糸群１５Ｚとによって織成する。例えば織物にその正面側から平行光を当てて、織物を正面から観察した場合には、前記Ｓ撚糸群又はＺ撚糸群の光の反射量が共に同じになって単なる無地模様として観察される。しかし、織物にその正面側から平行光を当てて、織物を斜め上方から観察した場合には、Ｓ撚糸群１４ＳとＺ撚糸群１５Ｚの光の光源側への光の反射量が異なるため、観察者の視点に入るＳ撚糸群１４ＳとＺ撚糸群１５Ｚの光量に差が生じて、同じ色彩の糸を用いても織物１１の表面に縞模様を観察することができる。【選択図】      図１
2006104585.tif 000002
【特許請求の範囲】
【請求項１】
経糸と緯糸よりなる織物において、前記経糸及び／又は緯糸を、複数のＳ撚糸よりなるＳ撚糸群と、複数のＺ撚糸よりなるＺ撚糸群が一組表れるように、又は両群が一組ずつ交互に現れるように織成するとともに、前記Ｓ撚糸群のＳ撚糸又はＺ撚糸群のＺ撚糸の少なくとも一方をブライト糸にしたことを特徴とする織物。  
【請求項２】
請求項１において、前記Ｓ撚糸群とＺ撚糸群の境界部にＳ撚糸とＺ撚糸が混在するＳ・Ｚ撚糸群を織り込み形成したことを特徴とする織物。
【請求項３】
請求項１又は２において、前記Ｓ撚糸群のＳ撚糸又はＺ撚糸群のＺ撚糸の一方をブライト糸にし、他方をダル糸にしたことを特徴とする織物。
【請求項４】
請求項１〜３のいずれか一項において、前記Ｓ撚糸群とＺ撚糸群の本数をそれぞれ８本以上にしたことを特徴とする織物。
【請求項５】
請求項４において、前記Ｓ撚糸群とＺ撚糸群の本数をそれぞれ３０本以上にしたことを特徴とする織物。
【請求項６】
請求項１〜５のいずれか一項において、前記Ｓ撚糸群のＳ撚糸及び／又はＺ撚糸群のＺ撚糸を単糸にしたことを特徴とする織物。
【発明の詳細な説明】
【技術分野】
【０００１】
本発明は、織物に係り、詳しくは意匠性を向上することができる織物に関する。
【背景技術】
【０００２】
一般に、衣服の生地に用いる織物は、経糸に緯糸を織り込んで平織されている。経糸として単糸を用いる場合にはＺ撚糸を、双糸を用いる場合にはＳ撚糸を用いている。又、緯糸として単糸を用いる場合にはＺ撚糸を、双糸を用いる場合にはＳ撚糸を用いている。これらの平織物は、生地の表面の糸の種類、つまりＳ撚糸かＺ撚糸かの違いに基づく模様は無地で存在しなかった。
【０００３】
一方、風呂敷等の一部の布製品においては、その表面の意匠性を高めるために次のような工夫が成されている。すなわち、経糸に対し緯糸としてＳ強撚糸とＺ強撚糸を一本又は複数本交互に織り込んだしぼ織物が提案されている。このしぼ織物は生地の表面の風合が、深くて、シャープで、方向性が交錯した趣のあるものとなっている。（例えば特許文献１，２参照）
【特許文献１】特開昭６３−２６４９４４号公報
【特許文献２】特開平０１−６１５３５号公報
【発明の開示】
【発明が解決しようとする課題】
【０００４】
ところが、前者の織物は、糸の種類、つまりＳ撚糸及びＺ撚糸の相違に基づく二色以上の模様は形成されることはなかった。従って、織物の表面に例えば縞模様を形成したい場合には、織物を形成した後に、染料によって縞等の模様を形成する方法と、経糸又は緯糸の少なくともいずれか一方の糸を染料によって着色し、その着色された経糸又は緯糸を用いて縞模様等の織物を織成する手段が採用されていた。
【０００５】
一方、後者のしぼ織物は、緯糸としてＳ強撚糸とＺ強撚糸を一本又は複数本交互に織り込んでいるが、その表面全体が均一で単純なしぼ模様を呈するのみで、例えば縞模様を形成することはできなかった。
【０００６】
本発明は、経糸及び／又は緯糸の少なくとも一方の糸としてＳ撚糸及びＺ撚糸を群状に織り込むことによって模様を観察することができる織物を提供することにある。
【課題を解決するための手段】
【０００７】
上記問題点を解決するために、請求項１に記載の発明は、経糸と緯糸よりなる織物において、前記経糸及び／又は緯糸を、複数のＳ撚糸よりなるＳ撚糸群と、複数のＺ撚糸よりなるＺ撚糸群が一組表れるように、又は両群が一組ずつ交互に現れるように織成するとともに、前記Ｓ撚糸群のＳ撚糸又はＺ撚糸群のＺ撚糸の少なくとも一方をブライト糸にしたことを要旨とする。
【０００８】
請求項２に記載の発明は、請求項１において、前記Ｓ撚糸群とＺ撚糸群の境界部にＳ撚糸とＺ撚糸が混在するＳ・Ｚ撚糸群を織り込み形成したことを要旨とする。
請求項３に記載の発明は、請求項１又は２において、前記Ｓ撚糸群のＳ撚糸又はＺ撚糸群のＺ撚糸の一方をブライト糸にし、他方をダル糸にしたことを要旨とする。
【０００９】
請求項４に記載の発明は、請求項１〜３のいずれか一項において、前記Ｓ撚糸群とＺ撚糸群の本数をそれぞれ８本以上にしたことを要旨とする。
請求項５に記載の発明は、請求項４において、前記Ｓ撚糸群とＺ撚糸群の本数をそれぞれ３０本以上にしたことを要旨とする。
【００１０】
請求項６に記載の発明は、請求項１〜５のいずれか一項において、前記Ｓ撚糸群のＳ撚糸及び／又はＺ撚糸群のＺ撚糸を単糸にしたことを要旨とする。
【発明の効果】
【００１１】
請求項１〜６のいずれか一項に記載の発明によれば、経糸及び／又は緯糸を、複数のＳ撚糸群と複数のＺ撚糸群が一組表れるように、又は両群が一組ずつ交互に現れるように織成し、前記Ｓ撚糸群又はＺ撚糸群の少なくとも一方をブライト糸にした。このため、例えば織物にその正面側から光を当てて、織物を正面から観察した場合には、前記Ｓ撚糸群又はＺ撚糸群の光の反射量が共に同じになって単なる無地模様として観察される。しかし、織物に例えばその正面側から光を当てて、織物を斜め上方から観察した場合には、前記Ｓ撚糸群のＳ撚糸及びＺ撚糸群のＺ撚糸の光の反射量が撚方向の相違によって異なるので、Ｓ撚糸群及びＺ撚糸群に明度差が生じて少なくとも二箇所に明度差の異なる模様を観察することができ、意匠性を向上することができる。織物に照射された光の反射量は、織物に対する光源の位置と、織物を観察する視点の位置とによって変化するので、明度差も変化し、模様も変化するため、趣のある織物となる。
【００１２】
請求項２記載の発明は、前記Ｓ撚糸群とＺ撚糸群の境界部にＳ撚糸とＺ撚糸が混在するＳ・Ｚ撚糸群を織り込み形成したので、前述した少なくとも二箇所に表れる明度差の異なる模様の間に中間明度差の模様を観察することができ、模様の意匠性をさらに向上することができる。
【００１３】
請求項３記載の発明は、前記Ｓ撚糸群のＳ撚糸又はＺ撚糸群のＺ撚糸の一方をブライト糸にし、他方を低明度のダル糸にしたので、ブライト糸よりなるＳ撚糸群又はＺ撚糸群の光の反射量が多くて高明度に観察される場合には、低明度のダル糸を用いたＺ撚糸群又はＳ撚糸群の光の反射量が低明度のため、少なくとも二箇所に明度差による模様を観察できる。又、ブライト糸よりなるＳ撚糸群又はＺ撚糸群の光の反射量が少なくて低明度に観察される場合には、低明度のダル糸を用いたＺ撚糸群又はＳ撚糸群の光の反射量も低明度のため、織物全体が低明度となって模様が殆ど観察できない。
【００１４】
請求項４に記載の発明は、前記Ｓ撚糸群とＺ撚糸群の本数をそれぞれ８本以上にしたので、８本以下の撚糸群と比較して模様の幅を広くして目立つ模様にすることができ、意匠性をさらに向上することができる。
【００１５】
請求項５に記載の発明は、前記Ｓ撚糸群とＺ撚糸群の本数をそれぞれ３０本以上にしたので、２９本以下の撚糸群と比較して現れる模様の幅をさらに広くして目立つ模様にすることができ、意匠性をさらに向上することができる。
【００１６】
請求項６に記載の発明は、前記Ｓ撚糸群のＳ撚糸及び／又はＺ撚糸群のＺ撚糸を単糸にしたので、双糸以上の糸と比較してＳ撚糸群及びＺ撚糸群の表面の光の反射量の差が大きくなって、模様の明度差を高めることができる。即ち、Ｓ撚り単子及びＺ撚り単子は多数の繊維が同じ撚り角でＳ撚り方向及びＺ撚り方向に撚られているので、単子表面への光の入反射方向が単調となって明度差が強く表れる。しかし、例えば双糸の場合には、それを構成する単子の繊維の撚り角と、両単子相互の撚り角が異なるために、双糸表面への光の入反射方向が複雑となって明度差が弱く表れる。このため、単子を用いた織物は双糸を用いた織物と比較して、模様の明度差を高めることができる。
【発明を実施するための最良の形態】
【００１７】
以下、本発明を縞模様を観察することができる織物に具体化した一実施形態を図１〜図３に従って説明する。
図１に示すように織物１１は多数本のブライト糸よりなる経糸１２と、多数本の同じくブライト糸よりなる緯糸１３とによって平織に織成されている。
【００１８】
緯糸１３は連続して織り込まれた８本のＳ撚糸１４〜１４によって形成されたＳ撚糸群１４Ｓと、このＳ撚糸群１４Ｓの隣に連続して織り込まれた８本のＺ撚糸１５〜１５によって形成されたＺ撚糸群１５Ｚとを一組ずつ交互に繰り返し織成して形成されている。
【００１９】
前記経糸１２は全て紡績された単糸であって、この実施形態ではＺ撚糸１５〜１５を用いている。又、Ｓ撚糸１４及びＺ撚糸１５も全て紡績された単糸である。
上述したブライト糸とは、艶のある糸であり、この実施形態においては、ポリエステルの紡績糸、又はマーセライズ加工により光沢が付与されたコットンの紡績糸を用いている。レーヨンやブライト感のあるモダクリル繊維等であってもよい。さらに、超長綿糸或いは絹糸であってもよく、芯糸に光沢のあるフィラメントを螺旋状にカバーリングした糸であってもよい。
【００２０】
次に、上記のように構成した織物１１の作用について説明する。
図２に示すように、平行光源２１によって、織物１１の表面に光が矢印方向に照射されると、前記Ｓ撚糸１４及びＺ撚糸１５に照射される光の反射量が図３（ａ），（ｂ）に示すように異なるために、Ｓ撚糸群１４ＳとＺ撚糸群１５Ｚによって反射される光の反射量も異なる。図３（ａ），（ｂ）においては、Ｓ撚糸１４及びＺ撚糸１５を形成する繊維１４ａ，１５ａは実際には多数本用いられているが、説明の便宜上数本に限定している。この図３（ａ）から明らかなようにＳ撚糸１４においては各繊維１４ａによって光源２１側に折り返すように反射される光の反射量が多くなり、観察者の視点２２に入射される光の量が少なくなり暗く観察される。反対に、Ｚ撚糸１５においては、繊維１５ａ，１５ａの谷部１５ｂとほぼ平行に光が照射されるので、光源２１側に折り返すように反射される光の量が少なくなり、観察者の視点２２に入射される光の量が多くなり明るく観察される。従って、図１に示すように、光源２１が右斜め上方にあって織物１１の観察者の視点２２が左側にある場合に、緯糸１３を形成するＳ撚糸群１４Ｓが暗く観察され、Ｚ撚糸群１５Ｚが明るく観察される。このため、Ｓ撚糸群１４ＳとＺ撚糸群１５Ｚにより観察される光に明度差が生じて縞模様を観察することができる。又、経糸１２は全てＺ撚糸１５によって形成されているので、図１に示すように反射量の少ない低明度の色彩として観察される。
【００２１】
上述したように、経糸１２と緯糸１３の材質として、同じ材質のものを用いるとともに、同じ色彩のものを用いても、Ｓ撚糸群１４ＳとＺ撚糸群１５Ｚの光の反射量の相違による明度差により織物１１に縞模様を観察することができる。織物１１に照射された平行光源２１から光の該光源２１側への光の反射量は、織物１１及び平行光源２１が所定位置に保持されている状態では一定である。しかし、織物１１を観察する視点２２の位置が変化すると、観察される光の明度差も変化し、縞模様も変化するため、趣のある織物１１となる。
【００２２】
図１では織物１１を小面積に限定して表示しているので、全体に縞模様を観察することができるが、織物１１が広い面積の場合には、無模様として観察される部分も存在し縞模様は局部的に観察されることになる。
【００２３】
前記実施形態では、Ｓ撚糸１４及びＺ撚糸１５を共に単糸としたので、双糸以上の乱反射し易い糸と比較して、平行光源２１から照射された光の平行光源２１側へ折り返す光の反射量が大きくなり、縞模様の明度差を高めることができる。即ち、Ｓ撚糸１４及びＺ撚糸１５は多数の繊維が同じ撚り角でＳ撚り方向及びＺ撚り方向に撚られているので、単子表面への光の入反射方向が単調となって明度差が強く表れる。しかし、例えば双糸の場合には、それを構成する単子の繊維の撚り角と、両単子相互の撚り角が異なるために、双糸表面への光の入反射方向が複雑となって明度差が弱く表れる。このため、単子を用いた織物は双糸を用いた織物と比較して、模様の明度差を高めることができる。
【００２４】
双糸として、二本のＳ撚り単子をＳ撚り双糸としたＳ撚り双糸群と、二本のＺ撚り単子をＺ撚り双糸としたＺ撚り双糸群を組み合わせた織物と、二本のＳ撚り単子をＳ撚り双糸としたＳ撚り双糸群と、二本のＳ撚り単子をＺ撚り双糸としたＺ撚り双糸群を組み合わせた織物は、実験の結果、模様を観察することができた。しかし、ニ本のＳ撚り単子をＺ撚り双糸としたＺ撚り双糸群と、二本のＺ撚り単子をＳ撚り双糸としたＳ撚り双糸群を組み合わせた織物は、模様が殆ど観察されなかった。これは双糸の表面への光の入反射方向と、該双糸を構成する両単子相互の表面への光の入反射方向とが互いに相違して打ち消し合うためと考えられる。
【００２５】
前記実施形態では、Ｓ撚糸群１４ＳのＳ撚糸１４と、Ｚ撚糸群１５ＺのＺ撚糸１５のそれぞれの本数を８本としたので、８本以下の撚糸群と比較して観察される縞模様の幅を広くして目立つ縞模様にすることができ、意匠性を向上することができる。
【００２６】
なお、上記実施形態は以下のように変更してもよい。
○図４に示すように、経糸１２としてＳ撚糸群１４ＳとＺ撚糸群１５Ｚとを一組ずつ交互に繰り返し配列するようにしてもよい。この場合には、織物１１の表面模様は市松模様として観察される。
【００２７】
○図５に示すように、例えば２０本のＳ撚糸１４よりなるＳ撚糸群１４Ｓ及び２０本のＺ撚糸１５よりなるＺ撚糸群１５Ｚを共に、例えば白色（第１の色彩）の糸を用い、Ｚ撚糸群１５Ｚに連なる例えば２０本のＳ撚糸群１４Ｓ及び２０本のＺ撚糸１５のＺ撚糸群１５Ｚを共に黄色（第２の色彩）の糸を用いるようにしてもよい。この場合には、白色（第１の色彩）の濃淡と黄色（第２の色彩）の濃淡が交互に現れるので、計四種類の縞模様を観察することができ、意匠性をさらに向上することができる。なお、第１及び第２の色彩は、例えば、白対緑、黄対橙、白対灰等様々な色彩の組み合わせが考えられる。
【００２８】
○図６に示すように、Ｓ撚糸群１４ＳとＺ撚糸群１５Ｚとの境界部にＳ撚糸１４とＺ撚糸１５を交互に一本ずつ例えば５〜１０本織り込んで、Ｓ・Ｚ撚糸群１４５ＳＺを形成してもよい。又、二本、三本、或いは四本ずつ交互に織り込んでもよい。これらの場合には、前記境界部の光の平行光源２１側への反射量がＳ撚糸群１４Ｓの光の同じ反射量と、Ｚ撚糸群１５Ｚの光の同じ反射量の中間の量（中間の明度）となるので、三段階の縞模様を観察することができる。さらに、Ｓ・Ｚ撚糸群１４５ＳＺを、例えば、Ｚ・Ｓ・Ｓ・Ｚ・Ｓ・Ｚ・Ｚ・Ｓとしたり、Ｚ・Ｓ・Ｓ・Ｓ・Ｚ・Ｓ・Ｓ・Ｚ・Ｓ・Ｚ・Ｓ・Ｚ・Ｚ・Ｓ・Ｚ・Ｚ・Ｚ・Ｓとしたり、その他任意の組み合わせにしてもよい。これらの場合にはＳ・Ｚ撚糸群１４５ＳＺの中間の明度をなだらかに変化させることができる。
【００２９】
上記Ｓ・Ｚ撚糸群１４５ＳＺの構成は、この実施の形態の項で記載された他の全ての織物に適用される。
○図７（ａ）に示すように、前記緯糸のＳ撚糸群１４Ｓをブライト糸とし、Ｚ撚糸群１５Ｚをダル糸又はセミダル糸にしてもよい。この実施形態で用いるダル糸として、例えば酸化アンチモンを主体とする難燃剤を５〜６０重量％含有するハロゲン含有繊維のスパン糸がある。前記ハロゲン含有繊維は、アクリロニトリル４０〜７０重量％、塩化ビニル、塩化ビニリデン等のハロゲン含有単量体６０〜３０重量％及びスルホン酸基を含有する単量体０〜３重量％よりなる共重合体で構成されている。
【００３０】
この別例においては、ブライト糸のＳ撚糸群１４Ｓの反射量の変化によって、縞模様の態様が変化する。このため、例えば図７（ａ）に示すように光源２１が左斜め上方にあって織物１１を手前から見たときには、Ｓ撚糸群１４Ｓの光の平行光源２１側への反射量が少なくなって視点２２に入る光が高明度となり、縞模様が観察される。反対に、図７（ｂ）に示すように光源２１が右斜め上方にあって、手前から視たときにはＳ撚糸群１４Ｓの光の平行光源２１側への反射量が多くなって視点２２に入る光が低明度となり、縞模様が殆ど観察されないことになる。
【００３１】
上記別例において、前記緯糸１３のＳ撚糸群１４Ｓをダル糸又はセミダル糸とし、Ｚ撚糸群１５Ｚをブライト糸にしてもよい。又、図示しないが経糸１２をＳ撚糸群１４ＳとＺ撚糸群１５Ｚで構成し、Ｓ撚糸群１４Ｓをダル糸又はセミダル糸とし、Ｚ撚糸群１５Ｚをブライト糸にしてもよい。さらに、経糸１２のＳ撚糸群１４Ｓをブライト糸とし、Ｚ撚糸群１５Ｚをダル糸又はセミダル糸にしてもよい。
【００３２】
○図８（ａ）に示すように、緯糸１３のみに一組のＳ撚糸群１４ＳとＺ撚糸群１５Ｚが表れるようにしてもよい。図８（ｂ）に示すように、経糸１２のみに一組のＳ撚糸群１４ＳとＺ撚糸群１５Ｚが表れるようにしてもよい。図８（ｃ）に示すように、緯糸１３及び経糸１２にＳ撚糸群１４ＳとＺ撚糸群１５Ｚが一組ずつ表れるようにしてもよい。この場合には、明度差が三段階に変化するので、三種類の模様を観察することができる。図８（ｄ）に示すように、緯糸１３のみにＳ撚糸群１４ＳとＺ撚糸群１５Ｚが交互に二組、又は図示しないが三組以上交互に表れるようにしてもよい。図８（ｅ）に示すように、経糸１２のみにＳ撚糸群１４ＳとＺ撚糸群１５Ｚが交互に二組、又は図示しないが三組以上交互に表れるようにしてもよい。図８（ｆ）に示すように、経糸１２及び緯糸１３にＳ撚糸群１４ＳとＺ撚糸群１５Ｚがそれぞれ二組、又は図示しないが三組以上交互に表れるようにしてもよい。さらに、図示しないが、経糸１２及び緯糸１３に用いるＳ撚糸群１４ＳとＺ撚糸群１５Ｚの両群の折り込み組数は、経糸１２が例えば３〜５０組の中から任意の組数に、緯糸１３が例えば３〜５０組の中から任意の組数に設定が可能である。
【００３３】
○前記経糸１２及び緯糸１３のＳ撚糸群１４ＳとＺ撚糸群１５Ｚの糸の単糸と双糸の組み合わせとして、図９に示すように例えば１〜１６のパターンが考えられる。図９中、「単」を「甘撚糸」、「−」を、「普通撚糸」としてもよい。又、図９中、「単」を「強撚糸」、「−」を、「普通撚糸」としてもよい。さらに、図９中、「単」を「ブライト糸」、「−」を、「ダル糸又はセミダル糸」としてもよい。
【００３４】
○図示しないが、Ｓ撚糸群１４ＳとＺ撚糸群１５Ｚの間に、Ｓ撚糸群１４ＳとＺ撚糸群１５Ｚの色彩と異なる例えば灰、赤、黄或いは青等の色糸よりなる色糸群を織り込むようにしてもよい。又、Ｓ撚糸群１４Ｓ及びＺ撚糸群１５Ｚの間にカバーリング糸を一本以上織り込んでもよい。
【００３５】
○図示しないが、Ｓ撚糸群１４ＳとＺ撚糸群１５Ｚの各糸の太さ（番手）や打ち込み密度を変化させてもよい。
○前記経糸１２及び／又は緯糸１３を、Ｓ撚糸群１４ＳとＺ撚糸群１５Ｚが少なくとも一組、又は両群が一組ずつ交互に現れるように織成し、前記Ｓ撚糸群１４ＳのＳ撚糸１４又はＺ撚糸群１５ＺのＺ撚糸１５の少なくとも一方をブライト糸にし、他の撚糸をダル糸又はセミダル糸にしてもよい。これらの場合には、織物に例えば光源から光が照射されると、前記Ｓ撚糸群１４ＳのＳ撚糸１４及びＺ撚糸群１５ＺのＺ撚糸１５の光の光源側への反射量の相違によって、視点２２により観察されるＳ撚糸群１４Ｓ及びＺ撚糸群１５Ｚの光に明度差が生じて少なくとも二箇所に明度差の異なる模様を観察することができ、意匠性を向上することができる。
【００３６】
○上記各実施形態において、前記経糸１２及び／又は緯糸１３のＳ撚糸群１４Ｓ及びＺ撚糸群１５Ｚを三子撚糸以上としてもよい。
○上記各実施形態において、前記Ｓ撚糸群１４ＳとＺ撚糸群１５Ｚの糸の本数を、それぞれ２本、３本、４本、５本、６本又は７本以上としてもよい。又、前記Ｓ撚糸群１４ＳとＺ撚糸群１５Ｚの本数をそれぞれ８本以上としてもよい。さらに、両糸群の糸の本数をそれぞれ１０本、１５本、２０本、２５本又は３０本以上にしてもよく、これらの場合には、９本、１４本、１９本、２４本又は２９本以下の本数の撚糸群と比較して縞模様の幅をさらに広くして目立つ縞模様を観察することが可能となる。
【００３７】
（定義）この明細書において、織物とは、緯糸挿入経編み機により製造された布地も含むものとする。又、Ｓ撚糸又はＺ撚糸とは、撚りの付与された単糸、双糸、三子撚糸以外に、芯糸にフィラメントをＳ撚螺旋状又はＺ撚螺旋状にカバーリングした糸も含むものとする。
【実施例１】
【００３８】
図１０はシャツ、ジャケット、カーテン、壁紙、帽子、壁紙及びテーブルクロスに用いられる経糸１２と緯糸１３の素材、ブライト糸（Ｂ）又はダル糸（Ｄ）、普通撚糸（図中「普撚」で示す）又は甘撚糸（図中「甘撚」で示す）、番手、本数、Ｓ撚糸群１４Ｓの幅、Ｚ撚糸群１５Ｚの幅寸法についての実施例を示す。なお、シャツと帽子はエステルとレーヨンの混紡である。図中経糸側に表示した「−」はどちらにも該当しないものである。
（技術的思想）
前記実施形態から把握される請求項以外の技術的思想について以下に説明する。
【００３９】
（１）請求項１〜６のいずれか一項において、緯糸のみにＳ撚糸群とＺ撚糸群が一組表れるようにしたことを特徴とする織物。
（２）請求項１〜６のいずれか一項において、経糸のみにＳ撚糸群とＺ撚糸群が一組表れるようにしたことを特徴とする織物。
【００４０】
上述した（１）又は（２）記載の発明は、二種類の模様を観察することができる。
（３）請求項１〜６のいずれか一項において、緯糸及び経糸にＳ撚糸群とＺ撚糸群がそれぞれ一組表れるようにしたことを特徴とする織物。
【００４１】
上述した（３）記載の発明は三種類の模様を観察することができる。
（４）請求項１〜６のいずれか一項において、緯糸のみにＳ撚糸群とＺ撚糸群が交互に複数組表れるようにしたことを特徴とする織物。
【００４２】
（５）請求項１〜６のいずれか一項において、経糸のみにＳ撚糸群とＺ撚糸群が交互に複数組表れるようにしたことを特徴とする織物。
上述した（４）又は（５）記載の発明は、縞模様を観察することができる。
【００４３】
（６）請求項１〜６のいずれか一項において、経糸及び緯糸にＳ撚糸群とＺ撚糸群が交互に複数組表れるようにしたことを特徴とする織物。
上述した（６）記載の発明は、市松模様を観察することができる。  
【図面の簡単な説明】
【００４４】
【図１】この発明を具体化した織物の斜視図。
【図２】織物の部分拡大平面図。
【図３】（ａ）及び（ｂ）は、Ｓ撚糸及びＺ撚糸の部分拡大正面図。
【図４】織物の別の実施形態を示す斜視図。
【図５】織物の別の実施形態を示す平面図。
【図６】織物の別の実施形態を示す平面図。
【図７】（ａ）及び（ｂ）は織物の別の実施形態を示す斜視図。
【図８】（ａ）、（ｂ）、（ｃ）、（ｄ）、（ｅ）、（ｆ）は織物の別の実施形態を示す平面図。
【図９】経糸と緯糸のＳ撚糸群と、Ｚ撚糸群の甘撚りと普通撚りの組み合わせパターン及び単糸及び双糸の組み合わせパターンを示す説明図。
【図１０】織物の用途の実施例を示す説明図。
【符号の説明】
【００４５】
１１…織物、１２…経糸、１３…緯糸、１４…Ｓ撚糸、１５…Ｚ撚糸、１４Ｓ…Ｓ撚糸群，１５Ｚ…Ｚ撚糸群。
【図１】
2006104585.tif 000003
【図２】
2006104585.tif 000004
【図３】
2006104585.tif 000005
【図４】
2006104585.tif 000006
【図５】
2006104585.tif 000007
【図６】
2006104585.tif 000008
【図７】
2006104585.tif 000009
【図８】
2006104585.tif 000010
【図９】
2006104585.tif 000011
【図１０】
2006104585.tif 000012